(57)【特許請求の範囲】
【請求項１】
中空の多角柱と、
前記多角柱の側面に配置される、それぞれが前記多角柱の内側に２以上の色のいずれかの光を発光する複数の有機ＥＬ照明パネルとを備え、
前記多角柱の底面のうち一方の底面は光を透過し、他方の底面は光を透過するか、または、前記有機ＥＬ照明パネルの光を前記多角柱の内側に反射する反射板を備え、
前記２以上の色のうち寿命が短い色の前記有機ＥＬ照明パネルの数が、前記２以上の色のうち寿命が長い色の前記有機ＥＬ照明パネルの数よりも多いことを特徴とする有機ＥＬ照明ユニット。
【請求項２】
前記多角柱の内側に発光する前記有機ＥＬ照明パネルを、前記多角柱の側面の少なくとも互いに向き合う２面に備えることを特徴とする請求項１に記載の有機ＥＬ照明ユニット。
【請求項３】
前記多角柱の内側に発光する前記有機ＥＬ照明パネルを、前記多角柱のすべての側面に備えることを特徴とする請求項１または２に記載の有機ＥＬ照明ユニット。
【請求項４】
前記有機ＥＬ照明パネルは、前記有機ＥＬ照明パネルを備える側面の全面に配置されることを特徴とする請求項１ないし３のいずれか１項に記載の有機ＥＬ照明ユニット。
【請求項５】
前記有機ＥＬ照明パネルは、前記有機ＥＬ照明パネルを備える側面の一部に配置されることを特徴とする請求項１ないし３のいずれか１項に記載の有機ＥＬ照明ユニット。
【請求項６】
中空の多角柱と、
前記多角柱の側面の少なくとも１面に配置される、前記多角柱の内側に発光する有機ＥＬ照明パネルとを備え、
前記多角柱の底面のうち一方の底面は光を透過し、他方の底面は光を透過するか、または、前記有機ＥＬ照明パネルの光を前記多角柱の内側に反射する反射板を備え、
前記多角柱の側面のうち、前記有機ＥＬ照明パネルを備える側面以外の側面に、前記有機ＥＬ照明パネルの光を前記多角柱の内側に反射する反射板を備えることを特徴とする有機ＥＬ照明ユニット。
【請求項７】
前記多角柱の光を透過する底面に対向する前記他方の底面に、前記有機ＥＬ照明パネルの光を前記多角柱の内側に反射する反射板を備えることを特徴とする請求項１ないし６のいずれか１項に記載の有機ＥＬ照明ユニット。
【請求項８】
前記有機ＥＬ照明パネルは両面発光型であって、前記多角柱の内側と外側の両方に発光することを特徴とする請求項１ないし７のいずれか１項に記載の有機ＥＬ照明ユニット。
【請求項９】
請求項１ないし８のいずれか１項に記載の有機ＥＬ照明ユニットを２つ以上備え、
前記有機ＥＬ照明ユニットは、前記光を透過する底面の向きを揃えて並置配列されることを特徴とする有機ＥＬ照明装置。
【請求項１０】
中空の多角柱と、
前記多角柱の側面の少なくとも１面に配置される、前記多角柱の内側に発光する有機ＥＬ照明パネルとを備え、
前記多角柱の底面のうち一方の底面は光を透過し、他方の底面は光を透過するか、または、前記有機ＥＬ照明パネルの光を前記多角柱の内側に反射する反射板を備え、
前記有機ＥＬ照明パネルは両面発光型であって、四角柱の内側と外側の両方に発光し、前記四角柱の側面のうち、前記有機ＥＬ照明パネルを備える側面以外の側面に、前記有機ＥＬ照明パネルの光を前記四角柱の内側と外側の両方に反射する反射板を備える、同じ大きさの有機ＥＬ照明ユニットを４つ以上備え、
前記有機ＥＬ照明ユニットは、前記光を透過する底面の向きを揃えて市松模様状に並置配列されることを特徴とする有機ＥＬ照明装置。
【発明の詳細な説明】
【技術分野】
【０００１】
本発明は、有機ＥＬ照明ユニットおよび有機ＥＬ照明装置に関する。
【背景技術】
【０００２】
有機ＥＬはガラス基板上もしくは透明基板上に作製した自発光型の表示装置もしくは照明装置と知られている。このことから、有機ＥＬは、壁、テーブルの天板などを照明にするといった今までに無い大面積の空間の演出に期待が寄せられている。しかし、有機ＥＬは輝度にムラなく均一に発光する大面積の有機ＥＬ照明装置を作製することは、困難であることが知られている。困難にしている要因として、大面積蒸着時の膜厚均一性を保つことが難しいことや、大面積化による欠陥発生頻度の上昇、透明電極の抵抗による電圧降下等が挙げられる。
【０００３】
そこで、有機ＥＬ照明パネルを大面積になるように並置配列した場合を考える。有機ＥＬは大気に非常に弱く封止領域が必要であるため、有機ＥＬ基板と封止基板とを張り合わせる際の接着部が必要であり、接着部と電力を供給する給電部が非発光部分となる。有機ＥＬ照明パネルを単に並置配列しても、発光部１に対して非発光部分の割合が大きく、輝度にムラなく均一に発光する大面積の有機ＥＬ照明装置を作製することは難しい。
【０００４】
この問題を解決するものとして、特許文献１に、導光板の端面に有機ＥＬ素子を貼り付けて導光板に光を導光させ光を正面から光を取り出すことを特徴とする面発光照明機器が記載されている。特許文献１の技術では、有機ＥＬ素子を透明または半透明導光板の端部に配置してモジュールを作製し、そのモジュールをタイリングすることにより表示装置とすることで有機ＥＬ表示装置の大型化、フルカラー化、高精細化を低コストで提供することができる。
【０００５】
特許文献２には、直平行六面体の一面を放射開口部とし、その他の面をＬＥＤ素子で構成した直平行六面体チャンバが記載されている。また、ＬＥＤ素子に限らず、あらゆるエレクトロルミネッセント素子が利用できることとされている。
【０００６】
特許文献３には、長くて薄い回路板上に複数の照明素子（発光ダイオード）を取り付けた後、照明素子を内側に向け、環状ライトの中心軸に対して実質的に垂直となるように、一対の対向する真っ直ぐな横縁を有する長くて薄い回路板を円筒形に曲げた照明素子環状ライトが記載されている。
【０００７】
特許文献４には、小型化及び高輝度化を実現できる発光装置と、これを用いた表示装置及び照明装置が記載されている。特許文献４の発光装置は、基台と、前記基台上に配置された光反射部と、前記光反射部を囲う筒状体と、前記筒状体の内面に配置された複数の発光素子とを含む。
【先行技術文献】
【特許文献】
【０００８】
【特許文献１】特開２００９−１１０７７５号公報
【特許文献２】特表２００８−５０９５１６号公報
【特許文献３】特表２００１−５２５９７８号公報
【特許文献４】特表２０１０−５０６３４８号公報
【発明の概要】
【発明が解決しようとする課題】
【０００９】
しかしながら、特許文献１の技術では、導光板を使用することによって、余分な部材を使用することによるコスト・廃棄物の増加、導光板素材の透過率に依存したサイズの制限などといった問題が出てくる。
【００１０】
特許文献２の技術の目的は、高い輝度を持つＬＥＤランプシステムを提供することにあり、大面積の有機ＥＬ照明装置の作製に関する記載はなされていない。また、特許文献２に記載のチャンバは、直平行六面体の一面を開口部とし、その他の面を発光素子で構成しているので、光を射出する開口部の輝度を均一に保つものではない。
【００１１】
特許文献３および特許文献４の技術は、有機ＥＬを用いたものではない。
【００１２】
本発明は、上記事情に鑑みてなされたものであり、有機ＥＬ照明パネルを用いて、暗部を減少し、輝度のムラがより少なく均一に発光する大面積の有機ＥＬ照明装置およびこれを構成する有機ＥＬ照明ユニットを簡便な構成かつ低コストで提供することを目的とする。
【課題を解決するための手段】
【００１３】
本発明の第１の観点にかかる有機ＥＬ照明ユニットは、
中空の多角柱と、
前記多角柱の側面に配置される、それぞれが前記多角柱の内側に２以上の色のいずれかの光を発光する複数の有機ＥＬ照明パネルとを備え、
前記多角柱の底面のうち一方の底面は光を透過し、他方の底面は光を透過するか、または、前記有機ＥＬ照明パネルの光を前記多角柱の内側に反射する反射板を備え、
前記２以上の色のうち寿命が短い色の前記有機ＥＬ照明パネルの数が、前記２以上の色のうち寿命が長い色の前記有機ＥＬ照明パネルの数よりも多いことを特徴とする。
【００１４】
本発明の第２の観点にかかる有機ＥＬ照明装置は、
本発明の第１の観点にかかる有機ＥＬ照明ユニットを２つ以上備え、
前記有機ＥＬ照明ユニットは、前記光を透過する底面の向きを揃えて並置配列されることを特徴とする。
【発明の効果】
【００１５】
本発明によれば、有機ＥＬ照明パネルを用いて、暗部を減少し、輝度のムラがより少なく均一に発光する大面積の有機ＥＬ照明装置およびこれを構成する有機ＥＬ照明ユニットを簡便な構成かつ低コストで実現できる。
【図面の簡単な説明】
【００１６】
【図１】有機ＥＬ照明パネルを並置配列した図である。
【図２】実施の形態に係る四角柱の有機ＥＬ照明ユニットの例を示す斜視図である。
【図３】実施の形態に係る六角柱の有機ＥＬ照明ユニットの例を示す正面図である。
【図４】実施の形態に係る四角柱の有機ＥＬ照明ユニットの例を示す斜視図である。
【図５】実施の形態に係る四角柱の有機ＥＬ照明ユニットを縦横に並置配列した例を示す図である。
【図６】実施の形態に係る六角柱の有機ＥＬ照明ユニットを縦横に並置配列した例を示す図である。
【図７】実施の形態に係る有機ＥＬ照明パネルの概略断面図である。
【図８】複数色の有機ＥＬ照明パネルを用いる四角柱の有機ＥＬ照明ユニットの例を示す図である。
【図９】実施の形態に係る四角柱の有機ＥＬ照明ユニットを市松模様状に並置配列した図である。
【図１０】実施の形態に係る四角柱の有機ＥＬ照明ユニットを用いたスタンド型の有機ＥＬ照明装置の例を示す図である。
【発明を実施するための形態】
【００１７】
以下、この発明の実施の形態について図面を参照しながら詳細に説明する。なお、図中同一または相当部分には同一符号を付す。
【００１８】
図１は、有機ＥＬ照明パネルを並置配列した図である。有機ＥＬは大気に非常に弱く封止領域が必要であるため、有機ＥＬ照明パネル４には、有機ＥＬ基板と封止基板とを張り合わせる際の接着部２が必要である。また、有機ＥＬ照明パネル４は、有機ＥＬ基板に電力を供給する給電部３を備える。接着部２と給電部３は非発光部分であるので、発光部１に対して非発光部分の割合が大きく、図１のように有機ＥＬ照明パネル４を並置配列しても、輝度にムラなく均一に発光する大面積の有機ＥＬ照明装置を作製することは難しい。
【００１９】
図２は、実施の形態に係る四角柱の有機ＥＬ照明ユニットの例を示す斜視図である。図２のように、４枚の有機ＥＬ照明パネル４を中空の四角柱になるように張り合わせて有機ＥＬ照明ユニットを作製する。有機ＥＬ照明ユニットは、１つまたは２つの光を透過する底面を有する。有機ＥＬ照明パネル４は発光部が内側に向くように配置し、光を透過する底面から光が射出するようにする。このとき、光を透過する底面の輝度が均一になるように、有機ＥＬ照明パネル４を発光させる。図２の例では、１つの光を透過する底面（開口部）から光が射出するようにしており、対向する底面には反射板５を配置している。これにより、開口部から射出する光の輝度はより高くなる。
【００２０】
本実施の形態の有機ＥＬ照明ユニットは、光を透過する底面（正面）から見ると、非発光部は、有機ＥＬ照明パネル４の厚みの部分のみである。したがって図１に示す有機ＥＬ照明パネルを単に並置配列した場合よりも暗部が減少する。
【００２１】
有機ＥＬ照明ユニットの形状は四角柱に限らず、光を透過する底面を同じ向きに揃えて並置配列して大面積を構成できる多角柱であればよい。多角柱には、三角柱を含む。多角柱は、並置配列して大面積を構成できれば、正多角柱でなくてもよい。また、多角柱を構成するパネルは、すべてが有機ＥＬ照明パネル４でなくてもよい。少なくとも１枚の有機ＥＬ照明パネル４を含み、残りのパネルは反射板で構成してもよい。使用する反射板は、光を透過する底面の輝度の均一性を保つため、反射率がより高いものが好ましい。
【００２２】
図３は、実施の形態に係る六角柱の有機ＥＬ照明ユニットの例を示す正面図である。図３（ａ）の例では、２枚の有機ＥＬ照明パネル４と４枚の反射板５を中空の六角柱になるように張り合わせて有機ＥＬ照明ユニットを作製する。２枚の有機ＥＬ照明パネル４は、向かい合う面になるように配置する。図３（ｂ）の例では、３枚の有機ＥＬ照明パネル４と３枚の反射板５を六角柱になるように張り合わせて有機ＥＬ照明ユニットを作製する。３枚の有機ＥＬ照明パネル４は、１枚おきに配置する。反射板５は、開口部の輝度の均一性を保つため、反射率がより高いものが好ましい。これによれば、六角柱の全側面に有機ＥＬ照明パネル４を配置する場合よりもコストを軽減することができる。
【００２３】
これらの有機ＥＬ照明ユニットは、１つまたは２つの光を透過する底面を有する。有機ＥＬ照明パネル４は発光部が内側に向くように配置し、反射板５は内側に反射するように配置し、光を透過する底面から光が射出するようにする。このとき、光を透過する底面の輝度が均一になるように、有機ＥＬ照明パネル４を発光させる。図３の例では、２つの光を透過する底面（開口部）から光が射出するようにしている。
【００２４】
有機ＥＬ照明ユニットは、有機ＥＬ照明パネル４を多角柱の側面の全面に配置する構成に限られない。有機ＥＬ照明パネル４は、多角柱の側面において、多角柱の光を透過する底面の輝度を均一にすることが可能な光量を発光できる程度の範囲を占めていればよい。
【００２５】
図４は、実施の形態に係る四角柱の有機ＥＬ照明ユニットの例を示す正面図である。図４（ａ）の例では、四角柱の側面よりも小さい有機ＥＬ照明パネル４を配置したパネル４枚を中空の四角柱になるように張り合わせて有機ＥＬ照明ユニットを作製する。張り合わせるパネルの有機ＥＬ照明パネル４以外の部分は、反射板５で構成する。反射板５は、開口部の輝度の均一性を保つため、反射率がより高いものが好ましい。有機ＥＬ照明パネル４は発光部が内側に向くように配置し、光を透過する底面から光が射出するようにする。このとき、光を透過する底面の輝度が均一になるように、有機ＥＬ照明パネル４を発光させる。図４（ａ）の例では、１つの光を透過する底面（開口部）から光が射出するようにしており、対向する底面には反射板５を配置している。
【００２６】
図４（ｂ）の例では、有機ＥＬ照明パネル４を４枚配置したパネル４枚を中空の四角柱になるように張り合わせて有機ＥＬ照明ユニットを作製する。また、張り合わせるパネルの有機ＥＬ照明パネル４以外の部分は、反射板５で構成する。反射板５は、開口部の輝度の均一性を保つため、反射率がより高いものが好ましい。有機ＥＬ照明パネル４は発光部が内側に向くように配置し、光を透過する底面から光が射出するようにする。このとき、光を透過する底面の輝度が均一になるように、有機ＥＬ照明パネル４を発光させる。図４（ｂ）の例では、１つの光を透過する底面（開口部）から光が射出するようにしており、対向する底面には反射板５を配置している。
【００２７】
図４の有機ＥＬ照明ユニットによれば、四角柱の１側面の全面に有機ＥＬ照明パネル４を配置する場合よりも大きい有機ＥＬ照明ユニットを作製することができ、有機ＥＬ照明ユニットの光を透過する底面（開口部）の面積を大きくすることができる。
【００２８】
このように、有機ＥＬ照明ユニットは様々な構成が可能であるが、多角柱の１側面に対し、有機ＥＬ照明パネル４を１枚配置する場合も、複数枚配置する場合も、側面の全面に配置することが好ましい。また、多角柱の全側面に有機ＥＬ照明パネル４を配置することが好ましい。多角柱の１側面に対し、有機ＥＬ照明パネル４を全面に配置し、さらに全側面に有機ＥＬ照明パネル４を配置することにより、輝度が高くなり、光を透過する面の輝度がより均一になる。
【００２９】
このような多角柱の有機ＥＬ照明ユニットを複数個並置配列することによって、輝度にムラなく均一に発光する大面積の有機ＥＬ照明装置を作製する。
【００３０】
図５は、実施の形態に係る四角柱の有機ＥＬ照明ユニットを縦横に並置配列した例を示す図である。四角柱の有機ＥＬ照明ユニットを縦横に配列することで、有機ＥＬ照明ユニットの開口部の面積×有機ＥＬ照明ユニットの数の面積の発光面を持つ有機ＥＬ照明装置を作製することができる。図５では、有機ＥＬ照明ユニットの開口部の面積×１５の面積の発光面を持つ有機ＥＬ照明装置の例を示している。
【００３１】
図６は、実施の形態に係る六角柱の有機ＥＬ照明ユニットを縦横に並置配列した例を示す図である。六角柱の有機ＥＬ照明ユニットを縦横に配列することで、有機ＥＬ照明ユニットの開口部の面積×有機ＥＬ照明ユニットの数の面積の発光面を持つ有機ＥＬ照明装置を作製することができる。図６では、有機ＥＬ照明ユニットの開口部の面積×１３の面積の発光面を持つ有機ＥＬ照明装置の例を示している。
【００３２】
同じ有機ＥＬ照明パネル４を用いた場合、三角柱や四角柱の有機ＥＬ照明ユニットの開口部よりも、六角柱の有機ＥＬ照明ユニットの開口部のほうが面積が大きい。したがって、六角柱の有機ＥＬ照明ユニットを並置配列し、ハニカム構造の有機ＥＬ照明装置を作製することにより、強度を損なわずに、三角柱や四角柱の有機ＥＬ照明ユニットを配列する場合よりも有機ＥＬ照明ユニットの数を減らすことができる。これにより、コストを軽減することができる。
【００３３】
以下に、有機ＥＬ照明ユニットを構成する有機ＥＬ照明パネル４について説明する。
【００３４】
図７は、実施の形態に係る有機ＥＬ照明パネルの概略断面図である。図６を用いて、有機ＥＬ照明パネル４の製造プロセスの一例を説明する。基板９には、ＩＴＯ（Indium Tin Oxide）付きガラス基板を用いる。基板９の厚さは０．４〜０．７ｍｍが一般的であるが、この範囲に限定されるものではない。またプラスチック基板を用いてもよい。
【００３５】
まず、基板９には、陽極（透明導電膜）として、ＩＴＯがパターニングされている。陽極上に有機ＥＬ層８を蒸着により順次積層する。有機ＥＬ層８の材料、膜厚としては、たとえば正孔輸送層（α−ＮＰＤ：４０ｎｍ）／発光層、電子輸送層（Ａｌｑ３：８０ｎｍ）／ＬｉＦ（０．５ｎｍ）という構成があるが、これに限定されるものではない。有機ＥＬ層８を積層した後に、陰極としてアルミニウム７を積層する。アルミニウム７の膜厚は１００〜２００ｎｍが一般的である。
【００３６】
次に有機ＥＬ層８を外気から遮断するために封止を行う。図７では封止ガラス６を被せている。封止ガラス６の厚さは０．５〜１．０ｍｍである。いずれにせよ、外気と遮断することができれば、これらの方法に限られたものではない。
【００３７】
基板９の厚さ＋有機ＥＬ層８の厚さ＋アルミニウム７の厚さ＋封止ガラス６の厚さ＝０．４〜０．７ｍｍ＋（４０ｎｍ＋８０ｎｍ＋０．５ｎｍ）＋１００〜２００ｎｍ＋０．５〜１．０ｍｍ＝約０．９〜１．７ｍｍとなり、有機ＥＬ照明パネル４の厚さは２ｍｍ以下となる。この有機ＥＬ照明パネル４を用いて構成した有機ＥＬ照明ユニットの開口部（正面）から見た非発光部（暗部）は、四方の有機ＥＬ照明パネルの厚さの部分であるので、幅２ｍｍ以下の四角い枠となる。この有機ＥＬ照明パネル４を図５のように縦横に並置配列した場合、開口部（正面）から見た非発光部（暗部）は、幅４ｍｍ以下の格子状となる。
【００３８】
有機ＥＬ照明パネル４の厚みを薄くすればするほど、非発光部（暗部）が減少し、より輝度のムラが少なく均一に発光する大面積の有機ＥＬ照明装置を作製することができる。
【００３９】
なお、有機ＥＬ照明ユニットに用いる有機ＥＬ照明パネル４は１色に限られない。
【００４０】
図８には、複数色の有機ＥＬ照明パネルを用いる四角柱の有機ＥＬ照明ユニットの例を示す図である。図８は、赤、緑、青の３色の有機ＥＬ照明パネル４を用いて白色の光を開口部より射出する有機ＥＬ照明ユニットである。図８の例では、青色の有機ＥＬ照明パネルの寿命が短いとする。そこで、図８に示すように、赤色、緑色の有機ＥＬ照明パネル４を１枚ずつ、青色の有機ＥＬ照明パネル４を２枚用いて有機ＥＬ照明ユニットを作製することにより、青色パネルの投入電力を下げることができるので、輝度低下時の色ずれ抑制につながる。
【００４１】
また、有機ＥＬ照明ユニットに用いる有機ＥＬ照明パネル４は片面発光型に限られない。
【００４２】
図９は、実施の形態に係る四角柱の有機ＥＬ照明ユニットを市松模様状に並置配列した図である。両面発光型の有機ＥＬ照明パネル４を使用する場合は、図９のように同じ大きさの四角柱の有機ＥＬ照明ユニットを、有機ＥＬ照明ユニットを配置しない空間を空けて、市松模様状に並置配列させることにより、同じ個数の有機ＥＬ照明ユニットの数を用いた場合、図５のように並置配列する場合よりも、大面積の有機ＥＬ照明装置を作製することができる。
【００４３】
図７を参照して、両面発光型の有機ＥＬ照明パネル４の製造プロセスの一例を説明する。両面発光型の有機ＥＬ照明パネル４は、基板９に有機ＥＬ層８を積層し、中間電極としてアルミニウム７を積層する。そして、有機ＥＬ層８を積層した基板９を用いて封止する。この場合、有機ＥＬ層８は２層になるが、有機ＥＬ層８の厚みは、有機ＥＬ照明パネル４の厚みに寄与しない程薄いので、片面発光型の有機ＥＬ照明パネル４と両面発光型の有機ＥＬ照明パネル４の厚みはあまり変わらない。図９の有機ＥＬ照明装置の開口部（正面）から見た非発光部（暗部）は、幅約２ｍｍの格子状となり、より輝度のムラが少なく均一に発光する大面積の有機ＥＬ照明装置を作製することができる。
【００４４】
図１０は、実施の形態に係る四角柱の有機ＥＬ照明ユニットを用いたスタンド型の有機ＥＬ照明装置の例である。四角柱の有機ＥＬ照明ユニットを縦に重ねることにより図１０のようなスタンド型の有機ＥＬ照明装置としてもよい。このように、実施の形態の有機ＥＬ照明ユニットを用いれば、さまざまな形状の照明装置を作製することが可能である。
【００４５】
本実施の形態の有機ＥＬ照明ユニットは、光が射出する開口部を開放している。しかし、これに限らず、光を透過する底面に光を透過するアクリル板などのパネルを設置し、有機ＥＬ照明ユニットの光をバックライトとして用いてもよい。あるいは、光を透過する底面に輝度を均一化するパネルを設置し、発光面の輝度をより均一にしてもよい。
【００４６】
上記の実施の形態の一部または全部は、以下の付記のようにも記載されうるが、以下には限られない。
【００４７】
（付記１）
中空の多角柱と、
前記多角柱の側面の少なくとも１面に配置される、前記多角柱の内側に発光する有機ＥＬ照明パネルとを備え、
前記多角柱の底面のうち一方の底面は光を透過し、他方の底面は光を透過するか、または、前記有機ＥＬ照明パネルの光を前記多角柱の内側に反射する反射板を備える、
ことを特徴とする有機ＥＬ照明ユニット。
【００４８】
（付記２）
前記多角柱の内側に発光する前記有機ＥＬ照明パネルを、前記多角柱の側面の少なくとも互いに向き合う２面に備えることを特徴とする付記１に記載の有機ＥＬ照明ユニット。
【００４９】
（付記３）
前記多角柱の内側に発光する前記有機ＥＬ照明パネルを、前記多角柱のすべての側面に備えることを特徴とする付記１または２に記載の有機ＥＬ照明ユニット。
【００５０】
（付記４）
それぞれが２以上の色のいずれかの光を発光する複数の前記有機ＥＬ照明パネルを備え、前記２以上の色のうち寿命が短い色の前記有機ＥＬ照明パネルの数が、前記２以上の色のうち寿命が長い色の前記有機ＥＬ照明パネルの数よりも多いことを特徴とする付記３に記載の有機ＥＬ照明ユニット。
【００５１】
（付記５）
前記有機ＥＬ照明パネルは、前記有機ＥＬ照明パネルを備える側面の全面に配置されることを特徴とする付記１ないし４のいずれかに記載の有機ＥＬ照明ユニット。
【００５２】
（付記６）
前記有機ＥＬ照明パネルは、前記有機ＥＬ照明パネルを備える側面の一部に配置されることを特徴とする付記１ないし４のいずれかに記載の有機ＥＬ照明ユニット。
【００５３】
（付記７）
前記多角柱の側面のうち、前記有機ＥＬパネルを備える側面以外の側面に、前記有機ＥＬ照明パネルの光を前記多角柱の内側に反射する反射板を備えることを特徴とする付記１ないし６のいずれかに記載の有機ＥＬ照明ユニット。
【００５４】
（付記８）
前記多角柱の光を透過する底面に対向する前記他方の底面に、前記有機ＥＬ照明パネルの光を前記多角柱の内側に反射する反射板を備えることを特徴とする付記１ないし７のいずれかに記載の有機ＥＬ照明ユニット。
【００５５】
（付記９）
前記有機ＥＬ照明パネルは両面発光型であって、前記多角柱の内側と外側の両方に発光することを特徴とする付記１ないし８のいずれかに記載の有機ＥＬ照明ユニット。
【００５６】
（付記１０）
付記１ないし９のいずれかに記載の有機ＥＬ照明ユニットを２つ以上備え、
前記有機ＥＬ照明ユニットは、前記光を透過する底面の向きを揃えて並置配列されることを特徴とする有機ＥＬ照明装置。
【００５７】
（付記１１）
前記有機ＥＬ照明パネルは両面発光型であって、四角柱の内側と外側の両方に発光し、前記四角柱の側面のうち、前記有機ＥＬパネルを備える側面以外の側面に、前記有機ＥＬ照明パネルの光を前記四角柱の内側と外側の両方に反射する反射板を備える、同じ大きさの前記有機ＥＬ照明ユニットを４つ以上備え、
前記有機ＥＬ照明ユニットは、前記光を透過する底面の向きを揃えて市松模様状に並置配列されることを特徴とする付記１０に記載の有機ＥＬ照明装置。
【符号の説明】
【００５８】
１  発光部
２  接着部
３  給電部
４  有機ＥＬ照明パネル
５  反射板
６  封止ガラス
７  アルミニウム
８  有機ＥＬ層
９  基板
【図１】
0005807951.tif 000002
【図２】
0005807951.tif 000003
【図３】
0005807951.tif 000004
【図４】
0005807951.tif 000005
【図５】
0005807951.tif 000006
【図６】
0005807951.tif 000007
【図７】
0005807951.tif 000008
【図８】
0005807951.tif 000009
【図９】
0005807951.tif 000010
【図１０】
0005807951.tif 000011